(57)【要約】【課題】本願発明は、ケーブルの延出位置を工夫することにより、上記目的達成を図るようにしたものである。【解決手段】マイクロホン付きイヤーセット１は、マイクロホンケース１０の一面側に、マイクロホン１２へ音を導入するための音孔１８及びイヤホン１４へのイヤホンケーブル２２が延出されるイヤホンケーブル延出部１０ｃを備え、かつ、マイクロホンケース１０の他面側に外部機器接続するための外部端子１６への端子ケーブル２４が延出される端子ケーブル延出部１０ｄを備えるものである。【選択図】　　　　　図１
2004056695.tif 000002
【特許請求の範囲】
【請求項１】
外耳道入口に装着するイヤホンと、
音等による振動を電気信号に変換するマイクロホンと、
上記マイクロホンを収容する略平板状のケースと、
上記ケースから上記イヤホンに延出される第１のケーブルと、
上記ケースから外部機器に延出される第２のケーブルと、
を備える、マイクロホン付きイヤーセットにおいて、
上記ケースの一面側には、上記マイクロホンへ音を導入するための音孔及び、上記第１のケーブルが延出される第１延出部を備え、
上記ケースの他面側には、上記第２のケーブルが延出される第２延出部を備えること、
を特徴とするマイクロホン付きイヤーセット。
【請求項２】
上記ケースは略楕円形を成し、該ケースの長辺を等分する中心線に対して上記第１延出部と上記第２延出部は、一辺側に上記第１延出部が配置され、他辺側に上記第２延出部が配置されることを特徴とする請求項１記載のマイクロホン付きイヤーセット。
【請求項３】
上記ケースの長辺を等分する中心線に対して上記第１延出部と上記第２延出部は、一辺側端部に上記第１延出部が配置され、他辺側端部に上記第２延出部が配置されることを特徴とする請求項１または請求項２記載のマイクロホン付きイヤーセット。
【請求項４】
上記イヤホンには放音孔が設けられており、上記イヤホンの放音孔の放音方向と同軸の辺と上記ケースの長辺と上記第１のケーブルは、上記イヤホンの放音孔の放音方向と同軸の辺と、
上記第１のケーブルと、
上記ケースの長辺と、
によって略コの字を形成することを特徴とする請求項１から請求項３の何れかに記載のマイクロホン付きイヤーセット。
【発明の詳細な説明】
【０００１】
【発明の属する技術分野】
本願発明は、マイクロホン付きイヤーセットに関するものであり、特に、携帯電話等の通信機器に使用されるハンズフリー通話用のマイクロホン付きイヤーセットについての構造に関するものである。
【０００２】
【従来の技術】
従来より、マイクロホン付きイヤーセットとしては、例えば特許公報第３０９０５３９号に開示されているように、イヤホンと携帯電話等の機器を結ぶケーブル上にユニット化されたマイクロホンが単純に配置されているものがあった。
【０００３】
【発明が解決しようとする課題】
しかしながら、上記従来のマイクロホン付きイヤーセットの場合は、マイクロホンが単純にケーブルに配置されているのみであるため、マイクロホンがケーブルを軸に回転してしまうことがあった。
このように、マイクロホンが回転してしまうと、使用者がしゃべる声がうまく集音できず、またマイクロホンが回転しないように使用者がマイクロホンを手で押さえなければならず、不便であった。
【０００４】
本願発明は、このような事情に鑑みてなされたものであって、マイクロホンが常に一定の方向を向くように配置された使い勝手の良いマイクロホン付きイヤーセットを提供することを目的とするものである。
【０００５】
【課題を解決するための手段】
本願発明は、ケーブルの延出位置を工夫することにより、上記目的達成を図るようにしたものである。
【０００６】
すなわち、本願発明に係るマイクロホン付きイヤーセットは、外耳道入口に装着するイヤホンと、音等による振動を電気信号に変換するマイクロホンと、上記マイクロホンを収容する略平板状ケースと、上記ケースから上記イヤホンに延出される第１のケーブルと、上記ケースから外部機器に延出される第２のケーブルと、を備える、マイクロホン付きイヤーセットにおいて、上記ケースの一面側には、上記マイクロホンへ音を導入するための音孔及び、上記第１のケーブルが延出される第１延出部を備え、上記ケースの他面側には、上記第２のケーブルが延出される第２延出部を備えること、を特徴とするものである。
また、上記ケースは略楕円形を成し、該ケースの長辺を等分する中心線に対して上記第１延出部と上記第２延出部は、一辺側に上記第１延出部が配置され、他辺側に上記第２延出部が配置されることを特徴とするものである。
また、上記ケースの長辺を等分する中心線に対して上記第１延出部と上記第２延出部は、一辺側端部に上記第１延出部が配置され、他辺側端部に上記第２延出部が配置されることを特徴とするものである。
また、上記イヤホンには放音孔が設けられており、上記イヤホンの放音孔の放音方向と同軸の辺と上記ケースの長辺と上記第１のケーブルは、上記イヤホンの放音孔の放音方向と同軸の辺と、上記第１のケーブルと、上記ケースの長辺と、によって略コの字を形成することを特徴とするものである。
【０００７】
【発明の作用効果】
上記構成に示すように、本願発明に係るマイクロホン付きイヤーセットは、ケースの一面側に、マイクロホンへ音を導入するための音孔及びイヤホンへのケーブルが延出される第１延出部を備え、かつ、ケースの他面側に外部機器へのケーブルが延出される第２延出部を備えるものである。これにより、イヤホンを耳に装着したときに、第１のケーブルによるケースをつり下げる方向の力と、第２のケーブルによるケースを引き下げる方向の力が常に加わるため、ケースの第１のケーブルが延出する側の面が、常に上方向を向くことが可能になり、従って、第１のケーブルが延出する側の面に設けられるマイクロホンの音孔も常に上を向くことができる。
【０００８】
したがって本願発明によれば、マイクロホンの音孔が常に使用者の口方向を向くことが可能になり、安定した集音を行うことが可能になる。
【０００９】
また、ケースの長辺を等分する中心線に対して一辺側に第１延出部が配置され、他辺側に第２延出部が配置されているため、ケースが回転することなく常に一定の方向を向けることが可能になり、使い勝手が向上する。
【００１０】
また、イヤホンの放音孔の放音方向と同軸の辺と、第１のケーブルと、ケースの長辺と、により略コの字形が形成されるように配置されているため、イヤホンを耳に装着した際に、マイクロホンの音孔が使用者の口方向を向くことが可能になる。
【００１１】
【発明の実施の形態】
以下、図面を用いて、本願発明の実施の形態について説明する。
【００１２】
図１は、本願発明の一実施形態に係るマイクロホン付きイヤーセットを示す斜視図である。また、図２は、マイクロホンケースを示す斜視図であり、図３は、本願発明の一実施形態に係るマイクロホン付きイヤーセットを使用者が装着した状態を示す斜視図である。
【００１３】
これらの図に示すように、本実施形態に係るマイクロホン付きイヤーセット１は、マイクロホンケース１０とイヤホン１４と外部端子１６及びマイクロホンケース１０とイヤホン１４とを結ぶための第１のケーブルであるイヤホンケーブル２２及び、マイクロホンケース１０と外部端子１６とを結ぶための第２のケーブルである端子ケーブル２４により構成されている。
【００１４】
マイクロホンケース１０は、略楕円形状で一部に凹部を有するビーンズ状のケースで、その長辺が４０ｍｍ、厚みが７ｍｍ、幅が最大１５ｍｍ程度であり、その内部にはマイクロホン１２を内蔵している。また、マイクロホンケース１０の表面１０ａには、マイクロホン１２へ音を導入するための音孔１８が配置されている。さらに携帯電話などの外部機器に接続した場合に、着信の実行に使用したりあるいは通話中にミュートをしたい際などに使用されるスイッチ２０が表面１０ａには設けられている。
【００１５】
イヤホン１４は、外字道内挿入型のイヤホンであり、２段の略キノコ型のイヤチップ１４ａを外耳道に挿入して使用される。イヤチップ１４ａの先端には放音孔１４ｂが設けられており、これにより外部機器からの入力信号を元にイヤホン１４内の駆動部で発生させた音を聞くことができる。イヤホン１４の後端にはイヤホンケーブル２２が導出されており、外部機器からの入力信号をマイクロホンケース１０を経由してイヤホン１４に導いている。
【００１６】
マイクロホンケース１０とイヤホンケーブル２２とイヤホン１４とは、イヤホン１４の放音孔１４ｂの放音方向と同軸の辺（イヤホン１４の長辺）と、イヤホンケーブル２２、マイクロホンケース１０の長辺とにより略コの字形に接続されている。これによりイヤホン１４を外耳道入口に装着した場合に、マイクロホンケース１０の表面１０ａ側を使用者の口方向に方向付けることが可能となる。
【００１７】
外部端子１６は、携帯電話等の外部機器に接続するための端子であり、外部機器から送出される音声などの出力信号やマイクロホン１２により集音された音声などの入力信号を伝達するために使用されている。
外部端子１６からは、端子ケーブル２４が導出されており、外部機器の入出力信号をマイクロホンケース１０内に導いている。
【００１８】
次に、マイクロホンケース１０とイヤホンケーブル２２及び端子ケーブル２４の配置について詳説する。
【００１９】
まず、マイクロホンケース１０とイヤホンケーブル２２の配置についてであるが、イヤホンケーブル２２はマイクロホンケース１０の表面１０ａ側の第１延出部であるイヤホンケーブル延出部１０ｃから延出されている。このマイクロホンケース１０の表面１０ａ側には、音孔１８やスイッチ２０も配置されている。特に本実施形態では図１に示すように、イヤホンケーブル２２は、マイクロホンケース１０の厚さ方向の中心線ｘの上側に位置し、マイクロホンケース１０の長辺方向の中心線ｙの右側に位置するように端子ケーブル延出部１０ｄから延出配置されている。一方、端子ケーブル２４は、中心線ｘの下側に位置しまた、中心線ｙの左側に位置するように配置されている。特にイヤホンケーブル２２が長辺方向の右端に配置されかつ、端子ケーブル２４が長辺方向の左端に配置されることにより、イヤホン１４を装着した場合、表面１０ａが常に上面になるようにつり下げられ、また裏面１０ｂより端子ケーブル２４がマイクロホンケース１０を引っ張るため、マイクロホンケース１０の位置がある程度固定されるため、マイクロホン１２に音を導入するための音孔１８を常に一定の方向に向けることが可能になる。特にこのような配置にすることにより、図３に示すように音孔１８を常に口方向に向けることが可能になる。
【００２０】
次に、本願発明の他実施の形態について説明する。
図４は、本願発明の他実施形態に係るマイクロホン付きイヤーセットを示す斜視図である。
【００２１】
なお、他実施形態に係るマイクロホン付きイヤーセットの構成部品について、一実施形態と共通のものについては説明を省略する。
【００２２】
図４（Ａ）は、イヤホンケーブル２２をマイクロホンケース１０の長辺方向の右側面部より延出したものである。また、端子ケーブル２４をマイクロホンケース１０の長辺方向の左側面部より延出したものである。イヤホンケーブル２２及び端子ケーブル２４をマイクロホンケース１０よりこのように延出した場合でも、厚さ方向の中心線ｘに対して、上側にイヤホンケーブル２２を、下側に端子ケーブル２４を配置しているため、一実施形態と同様の効果を得ることができる上、さらにマイクロホンケース１０が回転することなく安定して使用することが可能となる。
【００２３】
図４（Ｂ）は、イヤホンケーブル２２及び端子ケーブル２４をマイクロホンケース１０の長辺方向の中心部付近より延出したものである。イヤホンケーブル２２及び端子ケーブル２４をマイクロホンケース１０よりこのように延出した場合でも、厚さ方向の中心線ｘに対して、上側にイヤホンケーブル２２を、下側に端子ケーブル２４を配置しており、かつ、長辺方向の中心線ｙに対してイヤホンケーブル２２を右側、端子ケーブル２４を左側に配分して配置していることから、音孔１８を一定の方向に向けることが可能になる。
【００２４】
図４（Ｃ）は、イヤホンケーブル２２をマイクロホンケース１０の長辺方向の右端部より延出し、また、端子ケーブル２４をマイクロホンケース１０の長辺方向の中心部右側でイヤホンケーブル２２延出部より左側より延出したものである。イヤホンケーブル２２及び端子ケーブル２４をマイクロホンケース１０よりこのように延出した場合でも、厚さ方向の中心線ｘに対して、上側にイヤホンケーブル２２を、下側に端子ケーブル２４を配置しかつ、長辺方向でのイヤホンケーブル２２及び端子ケーブル２４の延出位置がずれていれば、音孔１８を一定の方向に向けることが可能になる。
【００２５】
図４（Ｄ）は、イヤホン１４を２つ備える両耳用のマイクロホン付きイヤーセット１００である。
左耳用の左イヤホン１４Ｌ及び右耳用の右イヤホン１４Ｒは、それぞれイヤホン１４により構成され、左イヤホン１４Ｌからは左イヤホンケーブル２２Ｌが導出され、右イヤホン１４Ｒからは右イヤホンケーブル２２Ｒが導出されている。
【００２６】
次に、マイクロホンケース１０と左イヤホンケーブル２２Ｌの配置についてであるが、マイクロホンケース１０の表面１０ａ側にから延出されている。右イヤホンケーブル２２Ｒは、端子ケーブル２４と同様にマイクロホンケース１０の裏面１０ｂ側から導出されている。また、右イヤホンケーブル２２Ｒは、左イヤホンケーブル２２Ｌよりある程度長めに設定されており、端子ケーブル２４と左イヤホンケーブル２２Ｌによるマイクロホンケース１０のつり下げバランスに影響を与えないように余裕をもって左イヤホンケーブル２２Ｌの２倍程度の長さに設定されている。
【００２７】
またこのように、複数のイヤホン１４を設ける場合においても、厚さ方向の中心線ｘに対してマイクロホンケース１０の表面１０ａ側からは、１つしかイヤホンケーブル２２を導出させないことにより、音孔１８を一定の方向（特に口方向）に向けることが可能で、マイクロホンケース１０が回転することのない安定した使用感の製品を得ることができる。
【００２８】
以上詳述したように、一実施形態及び他実施形態に係るマイクロホン付きイヤーセット１及びマイクロホン付きイヤーセット１００は、マイクロホン１２へ音を導入するための音孔１８及びイヤホン１４へのイヤホンケーブル２２が延出されるイヤホンケーブル延出部１０ｃをマイクロホンケース１０の一面側に備え、かつ、外部機器へ接続するための外部端子１６に結合する端子ケーブル２４が延出される端子ケーブル延出部１０ｄをマイクロホンケース１０の他面側に備えるものである。これにより、イヤホン１４を耳に装着したときに、イヤホンケーブル２２によるマイクロホンケース１０をつり下げる方向の力と、端子ケーブル２４によるマイクロホンケース１０を引き下げる方向の力が常に加わるため、マイクロホンケース１０のイヤホンケーブル２２が延出する側の表面１０ａが、常に上方向を向くことが可能になり、従って、イヤホンケーブル２２が延出する側の表面１０ａに設けられるマイクロホン１２の音孔１８も常に上を向くことができる。
したがって、マイクロホン１２の音孔１８が常に使用者の口方向を向くことが可能になり、安定した集音を行うことが可能になる。
【００２９】
また、マイクロホンケース１０の長辺を等分する中心線ｘに対して一辺側にイヤホンケーブル延出部１０ｃが配置され、他辺側に端子ケーブル延出部１０ｄが配置されているため、マイクロホンケース１０が回転することなく常に一定の方向を向けることが可能になり、使い勝手が向上する。
【００３０】
また、イヤホン１４の放音孔１４ｂの放音方向と同軸の辺と、イヤホンケーブル２２と、マイクロホンケース１０の長辺と、により略コの字形が形成されるように配置されているため、イヤホン１４を耳に装着した際に、マイクロホン１２の音孔１８が使用者の口方向を向くことが可能になる。
【００３１】
なお、本実施形態に係るマイクロホン付きイヤーセット１及びマイクロホン付きイヤーセット１００では、イヤホン１４を外字道内挿入型イヤホンにより構成したが、これに限定されるものではなく、イントラコンカ型のイヤホンや耳掛け式のイヤホン等の一般のイヤホンでも特に得られる効果は同様である。
【００３２】
また、イヤホン１４の放音孔１４ｂの放音方向と同軸の辺（イヤホン１４の長辺）とイヤホンケーブル２２とマイクロホンケース１０の長辺とにより略コの字形が形成されるようにマイクロホン付きイヤーセット１を配置したが、イヤホン１４の長辺の中心付近からイヤホンケーブル２２を延出させたり、あるいはマイクロホンケース１０の長辺の中心付近からイヤホンケーブル２２を延出させても良く、少なくともイヤホン１４の長辺とイヤホンケーブル２２とマイクロホンケース１０の長辺とによる内辺側が略コの字形に形成されていれば、同様の効果が得られるものである。
【図面の簡単な説明】
【図１】本願発明の一実施形態に係るマイクロホン付きイヤーセットを示す斜視図
【図２】マイクロホンケース示す斜視図
【図３】本願発明の一実施形態に係るマイクロホン付きイヤーセットを使用者が装着した状態を示す斜視図
【図４】本願発明の他実施形態に係るマイクロホン付きイヤーセットを示す斜視図
【符号の説明】
１　　　　マイクロホン付きイヤーセット
１０　マイクロホンケース
１０ａ　表面
１０ｂ　裏面
１０ｃ　　イヤホンケーブル延出部
１０ｄ　　端子ケーブル延出部
１２　マイクロホン
１４　イヤホン
１４ａ　イヤチップ
１４ｂ　放音孔
１４Ｒ　　右イヤホン
１４Ｌ　　左イヤホン
１６　外部端子
１８　音孔
２０　スイッチ
２２　　イヤホンケーブル
２２Ｒ　　右イヤホンケーブル
２２Ｌ　　左イヤホンケーブル
２４　端子ケーブル
１００　　　　マイクロホン付きイヤーセット
ｘ　　中心線
ｙ　　中心線
【図１】
2004056695.tif 000003
【図２】
2004056695.tif 000004
【図３】
2004056695.tif 000005
【図４】
2004056695.tif 000006